(57)【要約】      （修正有）【課題】形状や材質の変化に応じてバーの表面を傷付けずに固定具合の調節を容易にするバレエスタンドを提供する。【解決手段】バーの両端を差し込むバー保持手段２の底部には、支持手段１を挟んで長手方向の左右両側にそれぞれ開口部２１，２１が設けてある。さらにバー保持手段２にバーを押し付けて固定するバー固定手段３の底部裏側には、この開口部と重なるように左右対称にそれぞれ受け部３１，３１が設けてある。そしてバーの固定具合を調整する調節手段４は、バー保持手段２の底部から開口部２１の真下に突き出た突設部４１と、この突設部に略垂直に設けた挿通孔４１ａを挿通する軸部４２とを有し、軸部４２が挿通孔４１ａを上下運動するとき、この軸部の先端が受け部３１と接してバー固定手段３が上下方向に動く。【選択図】図２
0003173589.tif 000002
【実用新案登録請求の範囲】
【請求項１】
起立した支持手段と、
この支持手段の上端に設けてある筒状のバー保持手段と、
上記バー保持手段の内部に設けてある半円弧状のバー固定手段と、
上記バー固定手段によるバーの固定具合を調節する調節手段とを備え、
上記バー保持手段の底部には、上記支持手段を挟んで長手方向の左右両側にそれぞれ開口部が設けてあり、
上記バー固定手段の底部裏側には、上記開口部と重なるように受け部が設けてあり、
上記調節手段は、上記バー保持手段の底部から上記開口部の真下に突き出た突設部と、この突設部に略垂直に設けた挿通孔を挿通する軸部とを有し、
上記軸部が上記挿通孔を上下運動するとき、この軸部の先端が上記受け部に接して上記バー固定手段が上下方向に動く
ことを特徴とするバレエスタンド。
【請求項２】
上記突設部の上側は中空で、上記開口部を通って上記バー保持手段の内部とつながっており、
上記受け部は、上記開口部の口径より外径が小さい筒状のもので、上記突設部の中空部分に挿入可能である
ことを特徴とする請求項１に記載のバレエスタンド。
【請求項３】
上記突設部の挿通孔及び軸部は、ネジ式である
ことを特徴とする請求項１又は２に記載のバレエスタンド。
【考案の詳細な説明】
【技術分野】
【０００１】
本考案は、バレエの練習に使用されるバレエスタンドに関し、特にバーの形状や材質の変化に柔軟に対応するバレエスタンドに関する。
【背景技術】
【０００２】
従来から、バレエの練習をする際には、スタジオ等の壁に常設してある手摺ばかりでなく、公共施設や自宅等に持ち込んだスタンドに差し込んだ木製のバーを用いていた。このバーは、年齢や性別に合ったサイズのものを使うため、利用者に応じて都度バーを取り替えていた。
【０００３】
そこでスタンド上部の保持部分にバーを差し込んだ後、この保持部分の下部に設けたネジ式の圧接板でこのバーを保持部分に固定する発想（例えば、特許文献１参照。）が提供されている。すなわちバーの形状に応じてネジを締め付け、圧接板をこのバーの周面に押し付けて固定するものである。
【先行技術文献】
【特許文献】
【０００４】
【特許文献１】特開平７−１６３６７５号公報
【考案の概要】
【考案が解決しようとする課題】
【０００５】
しかるに上述した圧接板はバーの周面に対して面積が小さいため、押し付けた際に高圧が加わってしまう。例えば、練習によってバーが振動すると、圧接板がバーの表面に食い込んでしまう恐れがある。さらに木製のバーは、使用期間や季節に応じて形状や材質に変化が生じる。すなわち、乾燥により水分が蒸発してやせ細るばかりでなく、湿気により水分を含んで太くなったり柔らかくなったりする。したがって上記圧接板では、バーの表面を削って傷付けてしまう恐れがある。このためバーを継続して安定に固定することができなくなるため、その都度頻繁に交換しなければならない。
【０００６】
そこで本考案の目的は、形状や材質の変化に関わらずバーの表面を傷付けずに固定具合の調節を容易に行うバレエスタンドを提供することにある。
【課題を解決するための手段】
【０００７】
上記課題を解決するために、本考案によるバレエスタンドの特徴は、バーの形状や材質に応じて、このバーを固定する部分を上下方向に動かすことにある。
【０００８】
そこで本考案におけるバレエスタンドは、起立した支持手段と、この支持手段の上端に設けてある筒状のバー保持手段と、上記バー保持手段の内部に設けてある半円弧状のバー固定手段と、上記バー固定手段によるバーの固定具合を調節する調節手段とを備えている。上記バー保持手段の底部には、上記支持手段を挟んで長手方向の左右両側にそれぞれ開口部が設けてあり、上記バー固定手段の底部裏側には、上記開口部と重なるように受け部が設けてある。上記調節手段は、上記バー保持手段の底部から上記開口部の真下に突き出た突設部と、この突設部に略垂直に設けた挿通孔を挿通する軸部とを有する。上記軸部が上記挿通孔を上下運動するとき、この軸部の先端が上記受け部に接して上記バー固定手段が上下方向に動く。
【０００９】
ところで、バー固定手段の受け部が底部裏側から突出していると、バー保持手段の内部の空間を狭くする恐れがある。そこで上記突設部の上側は中空で、上記開口部を通って上記バー保持手段の内部とつながっており、上記受け部は、上記開口部の口径より外径が小さい筒状のもので、上記突設部の中空部分に挿入可能であることが望ましい。これにより、バー保持手段の内部の空間を最大限活かすことができる。
【００１０】
また、バー固定手段の固定度合を調整し難いと、緩過ぎてバーが固定されなかったり締め過ぎてバーの表面が傷付いたりする可能性がある。そこで上記突設部の挿通孔及び軸部は、ネジ式であることが望ましい。これによりバーの太さや硬さに応じて適度にバーを固定することができる。
【００１１】
ここで、「バー固定手段」とは、円柱状のバーの形状にフィットし、バー保持手段の内壁にバーを押し当てて固定するものを意味する。このバー固定手段は、一体のもの（単数）が好ましいが、別々のもの（二つ以上）でもよい。単数の場合は、バー保持手段より長い方が好ましいが、同等若しくは短くてもよい。またバー固定手段は、取り外し可能なもの及び固定されたものいずれも該当する。
【００１２】
「開口部」は、調節手段の軸部の上下運動をバー固定手段の受け部に伝わるように設けた通路を意味し、円形に限らず楕円形や矩形が該当する。なお開口部は、支持手段を挟んだ長手方向の左右両側に、左右対称に設けることが好ましい。
【００１３】
「受け部」とは、上下運動によって軸部の先端がずれないようにするものを意味し、例えばバー固定手段の底部から下方に突出し開口部に抜き差し可能な筒状のものばかりでなく、この底部が窪んだ凹状のものが該当する。またバー固定手段が単数の場合は、左右対称に設けてあることが好ましい。
【００１４】
「突設部」とは、開口部の口径と同等以上の外径を有し、軸部が脱落しないよう挿通経路を長めに確保するものを意味する。また突設部は、円柱状のものばかりでなく、角柱状や半球状のものが該当する。
【００１５】
「挿通孔を挿通する軸部」とは、バー固定部の高さ位置を調節するものを意味し、例えば挿通孔にネジが切ってあり無段階に調節可能なネジ式のものばかりでなく、段階的に調節可能なストッパーの式のものが該当する。
【００１６】
「軸部の先端が受け部に接して」とは、この先端が受け部に嵌合したり接着したりして固定されている状態ばかりでなく、着脱可能な状態のことを意味する。
【考案の効果】
【００１７】
本考案におけるバレエスタンドは、調節手段の軸部の上下運動に応じてバー固定手段が上下方向に動くことにより、バーの形状や材質の変化に応じて容易に固定具合を調節でき適度にこのバーを保持することができる。すなわち、バーが乾燥して細くなり固定具合が緩んでも、バーを装着したまま手間無く固定し直すことができる。したがってバーの固定具合の調節が長引いてバレエの練習を妨げることはない。またバー固定手段は半円弧状でバーの周面にフィットするため、局部に応力が集中せずバーを傷付け難い。さらに調節手段の突設部がバー保持手段の底部裏側から突き出ているため、練習中に手が触れ難くけがをし難い。
【００１８】
またバー固定手段の底部裏側に設けた円筒状の受け部がバー保持手段の開口部を通って調節手段の突設部の中空部分に挿入可能なことにより、固定具合を緩めても受け部がこの中空部分に収納され、バー保持手段の内部の空間を最大限活かすことができる。したがって大径のバーから小径のバーまで幅広く用いることができる。さらに軸部の先端が円筒状の受け部に挿入して接することにより、バー固定手段を上下方向に動かしても軸部の先端からずれることなくバーを良好に固定することができる。
【００１９】
また調節手段の突設部の挿通孔及び軸部がネジ式であることにより、バーの太さや硬さに応じて適度にバーを固定することができる。したがってバーの固定具合の調節が容易で手間も掛からない。
【図面の簡単な説明】
【００２０】
【図１】バレエスタンドの全体図である。
【図２】バレエスタンドの上部拡大図である。
【図３】調節手段を含む一部断面拡大図である。
【図４】径が異なるバーを差し込んだ状態をそれぞれ示す図である。
【考案を実施するための形態】
【００２１】
図１〜図４を参照しつつ、本考案によるバレエスタンドの構成及び動作を説明する。最初に、図１を用いてバレエスタンドの全体構成を説明する。
【００２２】
さて図１に示すように、このバレエスタンドは、略垂直に起立した支持手段１と、このバー支持手段の上端に設けてある両端が貫通している筒状のバー保持手段２と、このバー保持手段の両端いずれからも出し入れでき着脱可能に設けてある半円弧状のバー固定手段３と、このバー固定手段を下方から持ち上げてバーの固定具合を調節する調節手段４とを備えている。なお、バー保持手段２には、バーＰ，Ｐ（点線）が左右両側から差し込まれている。
【００２３】
支持手段１は、床に接する足部と、この足部から直立している支柱部とで構成されている。バー保持手段２は、支持手段１の支柱部の上端に溶接で固定してある。バー固定手段３は、バー保持手段２の幅より長く、バーＰを差し込み易いようにこのバー保持手段の左右両端から端部がはみ出している。なお、バー保持手段２及びバー固定手段３は鉄製で、厚さ約２ｍｍの薄いものである。
【００２４】
なお、バー支持手段１は、上下方向に伸縮自在な構造であってもよい。またバー支持手段１の脚部には、着脱可能なキャスターが設けてあってもよい。バー保持手段２は、所定の締結手段で開閉できる構成でもよい。
【００２５】
図２は、バー保持手段２を拡大して正面視及び側面視したものである。図２（Ａ）及び（Ｂ）に示すように、バー保持手段２の底部には、支持手段１を挟んで長手方向の左右両側及び左右対称に直径約１５ｍｍの円形の開口部２１，２１が平行に設けてある。バー固定手段３の底部裏側には、開口部２１，２１と重なるように左右対称に、外径約８ｍｍ、内径約６ｍｍ開口している筒状の受け部３１，３１がそれぞれ設けてある。
【００２６】
調節手段４，４は、開口部２１，２１の真下にそれぞれ設けてある。詳細には、調節手段４は、バー保持手段２の底部から開口部２１の真下に突き出た突設部４１と、この突設部に略垂直に設けた挿通孔４１ａを挿通する円筒状の外径約３ｍｍの軸部４２とを有する。突設部４１の上端の外径は開口部２１の口径と略同等で、この開口部の内縁と一致するようにバー保持手段２の底部に溶接で固定してある。挿通孔４１ａは、軸部４２が挿通できる内径を有する。なお軸部４２の後端には摘み部４３が設けてある。
【００２７】
図３は、図２（Ａ）のＸ部分のＹ−Ｙ断面を示す。図３に示すように、調節手段４の突設部４１の上側は中空で、開口部２１を通ってバー保持手段２の内部とつながっている。バー固定手段３の受け部３１は、開口部２１の口径より外径が小さい筒状のものであり、この突設部の中空部分に挿入可能な構成になっている。さらに突設部４１の挿通孔４１ａ及び軸部４２はネジ式である。すなわち挿通孔４１ａには雌ネジ、軸部４２には雄ネジがそれぞれ切ってある。軸部４２が挿通孔４１ａを上下運動するとき、この軸部の先端が受け部３１の筒状の部分に入って、バー固定手段３が上下方向に動く。
【００２８】
ここで図３及び図４を用いて、本実施形態におけるバレエスタンドの動作説明をする。図４は、バレエスタンドに大径のバーと小径のバーとをそれぞれ設置した状態を示す。図３及び図４（Ａ）に示すとおり、バーＰ１が太い場合、調節手段４の摘み部４３を回して軸部４２を下方向に移動させる。この移動に伴って軸部４２の先端が受け部３１に接しながらバー固定手段３が自重で下がってくると、開口部２１を通って受け部３１が突設部４１の中空部分に収納され、バー保持手段２の内部の空間は広くなる。このとき受け部３１は、下方向の移動に伴いバー固定手段３が長手方向や周方向にずれることを防いでいる。このようにしてバーＰ１をバー保持手段２の内部に差し込めたら、調節手段４でバー固定手段３によるバーＰ１の固定具合を調節する。
【００２９】
次に図３及び図４（Ｂ）に示すとおり、長期間の使用によりバーＰ１の水分が蒸発して小径のバーＰ２に変形した場合、調節手段４の摘み部４３を回して軸部４２を上方向に移動させる。この移動に伴って軸部４２の先端が受け部３１に接しバー固定部３が押し上げられると、バー保持手段２の内部の空間は狭くなる。このとき受け部３１は、上方向の移動に伴いバー固定手段３が長手方向や周方向にずれることを防いでいる。このように、調節手段４でバー固定手段３によるバーＰ２の固定具合を調節することで、細くなったバーＰ２をバー保持手段２に容易に固定し直すことができる。
【００３０】
なお、軸部４２の先端の外径が受け部３１の内径より細く、この先端を入れたときに隙間ができるため、バー固定手段３は軸部の先端を支点にして揺動する。したがって、バーの形状や材質に合わせて、バー固定手段３が適した角度からバーを固定するように固定具合を調節することができる。
【００３１】
したがって本実施形態おけるバレエスタンドは、調節手段４の軸部４２の上下運動に応じてバー固定手段３が上下方向に動くことにより、バーの形状や材質の変化に応じて容易に固定具合を調節でき適度にこのバーを保持することができる。すなわち、バーが乾燥して細くなり固定具合が緩んでも、バーを装着したまま手間無く固定し直すことができる。したがってバーの固定具合の調節が長引いてバレエの練習を妨げることはない。またバー固定手段３は半円弧状でバーの周面にフィットするため、局部に応力が集中せずバーを傷付け難い。さらに調節手段４の突設部４１がバー保持手段の底部裏側から突き出ているため、練習中に手が触れ難くけがをし難い。
【００３２】
またバー固定手段３の底部裏側に設けた円筒状の受け部３１がバー保持手段の開口部２１を通って調節手段の突設部の中空部分に挿入可能なことにより、固定具合を緩めてもこの受け部がこの中空部分に収納され、バー保持手段２の内部の空間を最大限活かすことができる。したがって大径のバーから小径のバーまで幅広く用いることができる。さらに軸部４２の先端が円筒状の受け部３１に挿入して接することにより、バー固定手段３を上下方向に動かしてもこの軸部の先端からずれることなくバーを良好に固定することができる。
【００３３】
また調節手段４の突設部４１の挿通孔４１ａ及び軸部４１がネジ式であることにより、バーの太さや硬さに応じて適度にバーを固定することができる。したがってバーの固定具合の調節が容易で手間も掛からない。
【産業上の利用可能性】
【００３４】
本考案におけるバレエスタンドは、形状や材質の変化が伴うバーの調節作業の負担を軽減することができるため、バレエに限らず体操等の運動競技に関する産業に広く利用可能である。
【符号の説明】
【００３５】
１              支持手段
２              バー保持手段
２１            開口部
３              バー固定手段
３１            受け部
４              調節手段
４１            突設部
４１ａ          挿通孔
４２            軸部
４３            摘み部
Ｐ，Ｐ１，Ｐ２  バー
【図１】
0003173589.tif 000003
【図２】
0003173589.tif 000004
【図３】
0003173589.tif 000005
【図４】
0003173589.tif 000006